(57)【特許請求の範囲】
【請求項１】
原稿の一方の面を読み取る読取部であり、その最大読取領域の読取可能長が第１長さであるとともに当該最大読取領域がＮ個の分割読取領域に分割されており、前記原稿を読み取った読取データを前記分割読取領域毎に出力する第１読取部と、
原稿の他方の面を読み取る読取部であり、その最大読取領域の読取可能長が第１長さよりも短い第２長さであるとともに当該最大読取領域がＭ個の分割読取領域に分割されており、前記原稿を読み取った読取データを前記分割読取領域毎に出力する第２読取部と、
Ｌ個のアナログ信号の読取データをデジタル信号の読取データに変換可能な第１変換部及び第２変換部と、
片面読取と両面読取のいずれかを設定する読取設定部と、
を備え、
Ｍ、Ｌ、Ｎはこの順に大きくなるように設定されているとともに、ＮはＬの２倍以下となるように設定されており、
前記第１読取部の読取領域のうち、連続する第２長さ以上の読取可能長を有する第１領域がＬ個以下の前記分割読取領域に分割されており、残りの第２領域が（Ｎ−Ｌ）個以上の前記分割読取領域に分割されており、
前記読取設定部によって片面読取が設定されている場合、前記第１読取部のＮ個の前記分割読取領域は前記第１変換部及び第２変換部に接続され、
前記読取設定部によって両面読取が設定されている場合、前記第１読取部のＮ個の前記分割読取領域のうちＭ個の前記分割読取領域が前記第１変換部に接続され、前記第２読取部のＭ個の前記分割読取領域は前記第２変換部に接続される画像読取装置。
【請求項２】
請求項１に記載の画像読取装置であって、
前記第１領域は、Ｌ個以下の前記分割読取領域に均等に分割されており、前記第２領域は、（Ｎ−Ｌ）個以下の前記分割読取領域に均等に分割されている画像読取装置。
【請求項３】
請求項１または請求項２に記載の画像読取装置であって、
前記第１領域は、前記第１読取部の前記最大読取領域の中央に設定されている画像読取装置。
【請求項４】
請求項１ないし請求項３のいずれか一項に記載の画像読取装置であって、
前記読取設定部の設定に応じて、前記第２変換部を前記第１読取部に接続するか前記第２読取部に接続するかを切り換える切換部を備える画像読取装置。
【請求項５】
請求項１ないし請求項４のいずれか一項に記載の画像読取装置であって、
原稿台を有する装置本体と、
前記原稿台を開閉可能に覆うとともに、内部に原稿を搬送する搬送経路を有する原稿カバーと、
を備え、
前記第１読取部は、前記装置本体側に設けられており、前記読取設定部によって片面読取が設定されている場合、前記原稿台に静止して載置された原稿を原稿台に沿って移動しながら読み取り、前記読取設定部によって両面読取が設定されている場合、前記搬送経路を搬送される原稿を読み取り、
前記第２読取部は、前記原稿カバー側に設けられており、前記読取設定部によって両面読取が設定されている場合、前記搬送経路を搬送される原稿を読み取る画像読取装置。
【請求項６】
請求項１ないし請求項５のいずれか一項に記載の画像読取装置であって、
前記第１長さは、Ａ３規格の短辺側の長さであり、前記第２長さは、Ａ４規格の短辺側の長さである画像読取装置。
【請求項７】
請求項１ないし請求項６のいずれか一項に記載の画像読取装置であって、
Ｎは５であり、Ｍは３であり、Ｌは３である画像読取装置。
【発明の詳細な説明】
【技術分野】
【０００１】
本発明は、原稿の両面を読み取り可能な画像読取装置に用いられる技術に関する。
【背景技術】
【０００２】
従来から、複数の読取部を搭載し、１度の搬送で、原稿の両面を読み取り可能な画像読取装置が知られている（例えば、特許文献１、２）。従来技術では、原稿の一方の面を読み取る読取部の最大読取可能な原稿サイズがＡ３サイズに設定され、原稿の他方の面を読み取る読取部の最大読取可能な原稿サイズがＡ４サイズに設定された装置が記載されている。この画像読取装置では、ユーザからの要望の強いＡ３サイズの原稿の片面読取及びＡ４サイズの原稿の片面及び両面読取の機能を確保しつつ、両方の読取部の最大読取可能な原稿サイズをＡ３サイズとした場合に比べて、読取部を縮小して構成することができるという。
【０００３】
また、従来技術では、各読取部の読取領域が複数の領域に分割されており、各読取部は、原稿を読み取った読取データを領域毎に出力する装置が記載されている。読取部の各領域から出力されたアナログ信号である読取データは、Ａ／Ｄ変換回路を有するアナログフロントエンド（ＡＦＥ）によってデジタル信号である読取信号に変換される。ＡＦＥには複数のチャネルが設けられており、ＡＦＥはチャネル数に相当する領域から出力される読取データを一度に処理する。
【先行技術文献】
【特許文献】
【０００４】
【特許文献１】特開２００６−２５４４５号公報
【特許文献２】特開２００７−１３５２８号公報
【発明の概要】
【発明が解決しようとする課題】
【０００５】
ＡＦＥといった読取部が出力するアナログ信号をデジタル信号に変換する複数のチャネル数を変換可能な変換部は、チャネル数の増加に応じて占有面積が大きくなり、かつ高価である。そのため、変換部の有効利用による個数の削減が望まれている。しかし、原稿の一方の面を読み取る読取部と原稿の他方の面を読み取る読取部がそれぞれ別々の変換部に接続されている場合、原稿の一方の面を読み取る際に、原稿の他方の面を読み取る読取部に接続された変換部が有効に使用されない問題があった。また、複数の読取部の最大読取可能な原稿サイズがお互いに異なるサイズに設定されている場合、原稿の両面を読み取る際に、最大読取可能な原稿サイズが大きい読取部に接続された変換部が有効に使用されない問題があった。このように、変換部が有効に利用されず、変換部が必要以上に設けられている事例が多く見られた。
【０００６】
本明細書では、変換部の個数を削減する技術を開示する。
【課題を解決するための手段】
【０００７】
本明細書によって開示される画像読取装置は、原稿の一方の面を読み取る読取部であり、その最大読取領域の読取可能長が第１長さであるとともに当該最大読取領域がＮ個の分割読取領域に分割されており、前記原稿を読み取った読取データを前記分割読取領域毎に出力する第１読取部と、原稿の他方の面を読み取る読取部であり、その最大読取領域の読取可能長が第１長さよりも短い第２長さであるとともに当該最大読取領域がＭ個の分割読取領域に分割されており、前記原稿を読み取った読取データを前記分割読取領域毎に出力する第２読取部と、Ｌ個のアナログ信号の読取データをデジタル信号の読取データに変換可能な第１変換部及び第２変換部と、片面読取と両面読取のいずれかを設定する読取設定部と、を備え、Ｍ、Ｌ、Ｎはこの順に大きくなるように設定されているとともに、ＮはＬの２倍以下となるように設定されており、前記第１読取部の読取領域のうち、連続する第２長さ以上の読取可能長を有する第１領域がＬ個以下の前記分割読取領域に分割されており、残りの第２領域が（Ｎ−Ｌ）個以上の前記分割読取領域に分割されており、前記読取設定部によって片面読取が設定されている場合、前記第１読取部のＮ個の前記分割読取領域は前記第１変換部及び第２変換部に接続され、前記読取設定部によって両面読取が設定されている場合、前記第１読取部のＮ個の前記分割読取領域のうちＭ個の前記分割読取領域が前記第１変換部に接続され、前記第２読取部のＭ個の前記分割読取領域は前記第２変換部に接続される。
【０００８】
また、上記の画像読取装置では、前記第１領域は、Ｌ個以下の前記分割読取領域に均等に分割されており、前記第２領域は、（Ｎ−Ｌ）個以下の前記分割読取領域に均等に分割されている構成としても良い。
【０００９】
また、上記の画像読取装置では、前記第１領域は、前記第１読取部の前記最大読取領域の中央に設定されている構成としても良い。
【００１０】
また、上記の画像読取装置では、前記読取設定部の設定に応じて、前記第２変換部を前記第１読取部に接続するか前記第２読取部に接続するかを切り換える切換部を備える構成としても良い。
【００１１】
また、上記の画像読取装置では、原稿台を有する装置本体と、前記原稿台を開閉可能に覆うとともに、内部に原稿を搬送する搬送経路を有する原稿カバーと、を備え、前記第１読取部は、前記装置本体側に設けられており、前記読取設定部によって片面読取が設定されている場合、前記原稿台に静止して載置された原稿を原稿台に沿って移動しながら読み取り、前記読取設定部によって両面読取が設定されている場合、前記搬送経路を搬送される原稿を読み取り、前記第２読取部は、前記原稿カバー側に設けられており、前記読取設定部によって両面読取が設定されている場合、前記搬送経路を搬送される原稿を読み取る構成としても良い。
【００１２】
また、上記の画像読取装置では、前記第１長さは、Ａ３規格の短辺側の長さであり、前記第２長さは、Ａ４規格の短辺側の長さであることが好ましい。
【００１３】
また、上記の画像読取装置では、Ｎは５であり、Ｍは３であり、Ｌは３であることが好ましい。
【発明の効果】
【００１４】
本明細書によって開示される画像読取装置では、片面読取が設定されている場合、第１長さまでの原稿が読取可能であり、第２変換部は第１読取部に接続され、第１読取部から出力される読取データを処理する。また、両面読取が設定されている場合、第２長さまでの原稿が読取可能であり、第２変換部は第２読取部に接続され、第２読取部から出力される読取データを処理する。この画像読取装置によれば、片面読取が設定されている場合において第１読取部から出力され、第１変換部では処理しきれない読取データを処理する処理部と、両面読取が設定されている場合において第２変換部から出力される読取データを処理する処理部とを共通化することで、画像読取装置に必要な処理部の個数を削減することができる。これによって、装置コストを削減することができるとともに、装置を小型化することができる。
【図面の簡単な説明】
【００１５】
【図１】複合機１の原稿カバーを上げた状態を示す図
【図２】複合機１の画像読取装置３の概略的な断面図
【図３】複合機１の電気的構成を概略的に示すブロック図
【図４】読取部３０の読取領域Ｐを説明する図
【図５】読取部６０の読取領域Ｑを説明する図
【図６】本実施形態の制御処理を示すフローチャート
【発明を実施するための形態】
【００１６】
本実施形態を、図１ないし図６を用いて説明する。
【００１７】
１．複合機の機械的構成
図１は、本発明の画像形成装置の一例である複合機１の外観を示す斜視図であり、原稿カバー４８を上げた開状態における複合機１の外観を示す。この複合機１は、プリンタ機能、スキャナ機能、コピー機能、ファクシミリ機能などを備えた多機能周辺装置である。図２は、原稿カバー４８を下げた閉姿勢における画像読取装置３の断面図である。
【００１８】
図１に示すように、複合機１は、装置本体２の上方に原稿を読み取るための画像読取装置３を備えている。画像読取装置３は、後述する読取部（第１読取部の一例）３０、原稿自動送り装置（ＡＤＦ）４０、及び原稿載置部５０等を含む。
【００１９】
原稿載置部５０は、台枠５１、透明なガラス板からなる第１プラテンガラス（原稿台の一例）５２、第２プラテンガラス５３、及びこれらのガラス５２、５３の中間に配置された中間枠５４を含む。原稿載置部５０は、原稿カバー４８によって開閉可能に覆われている。
【００２０】
原稿カバー４８は、原稿載置部５０を覆う閉姿勢と原稿載置部５０を開放する開姿勢とに回動可能であり、操作部１１、表示部１２等が設けられる側を前側とする複合機１の装置本体２の後側に連結されている。原稿カバー４８には、ＡＤＦ４０が設けられている。
【００２１】
図２に示すように、ＡＤＦ４０は、ＡＤＦカバー４１、原稿トレイ４２、押圧部材４３、４４、各種ローラ４６、排紙トレイ４７、透明なガラス板からなる第３プラテンガラス５５、読取部（第２読取部の一例）６０、および原稿センサ７０〜７２等を含む。
【００２２】
ＡＤＦ４０には、ローラ４６等によって原稿が原稿トレイ４２から排紙トレイ４７へと搬送される経路である搬送路４５が設けられており、搬送路４５に隣接して読取部３０及び読取部６０が配置されている。
【００２３】
読取部３０は、装置本体２内に配置されており、図２に矢印８４で示すガラス５２、５３に沿う方向に移動可能に支持されている。読取部３０は、ガラス５２、５３に沿う方向に移動しながら第１プラテンガラス５２上に静止して載置された原稿を読み取る。また、図２に実線で示す第２プラテンガラス５３下の読取位置Ｌに移動し、搬送路４５を搬送される原稿を読み取る。この際、読取部３０は、搬送路４５において読取部６０よりも下流側、つまり排紙トレイ４７側に配置され、搬送路４５を搬送される原稿が第２プラテンガラス５３上を通過する際に当該原稿を読み取る。読取部３０は、略円状に設けられた搬送路４５の外側に配置されており、搬送路４５を搬送される原稿の搬送路４５外側の面である表面を読み取る。押圧部材４４は、第２プラテンガラス５３を介して読取位置Ｌに移動した状態の読取部３０と対向して配置され、第２プラテンガラス５３上を通過する原稿が第２プラテンガラス５３から浮かないように、原稿を第２プラテンガラス５３に押圧する。なお、以下の説明において、特に記載がない場合には、読取位置Ｌにおける読取部３０の状態及び動作を説明しているものとする。
【００２４】
中間枠５４の下部には、その表面がガラス５２、５３の下面と同一高さとなるように基準白板８１が配置されており、読取部３０はこの基準白板８１を用いてシェーディング補正や色調補正等、各種補正処理に必要な読取結果を検出する。
【００２５】
読取部６０は、原稿カバー４８内に配置されている。読取部６０は、搬送路４５において読取部３０よりも上流側、つまり原稿トレイ４２側に配置され、ＡＤＦ４０に対して移動不能に支持されている。読取部６０は、搬送路４５を搬送される原稿が第３プラテンガラス５５上を通過する際に当該原稿を読み取る。読取部６０は、略円状に設けられた搬送路４５の内側に配置されており、搬送路４５を搬送される原稿の搬送路４５内側の面である裏面を読み取る。押圧部材４３は、第３プラテンガラス５５を介して読取部６０と対向して配置され、第３プラテンガラス５５上を通過する原稿が第３プラテンガラス５５から浮かないように、原稿を第３プラテンガラス５５に押圧する。
【００２６】
押圧部材４３の読取部６０に対向する面には、白色テープ（基準部材の一例）８０が貼り付けられており、読取部６０はこの白色テープ８０を用いて各種補正処理に必要な読取結果を検出する。
【００２７】
原稿センサ７０は、原稿トレイ４２に隣接して配置されており、原稿トレイ４２の下側に設けられた軸７０Ａ回りに回転可能に支持されている。原稿センサ７０は、後述する中央処理装置（ＣＰＵ）２０に接続されており、ＣＰＵ２０は原稿センサ７０から出力される信号に基づいて原稿トレイ４２に原稿が載置されたことを検出する。
【００２８】
原稿センサ７１は、搬送路４５において読取部６０よりも上流側に読取部６０に近接して配置されている。また、原稿センサ７２は、搬送路４５において読取部６０よりも下流側であって読取部３０よりも上流側に読取部３０に近接して配置されている。
【００２９】
原稿センサ７１、７２は、ＣＰＵ２０に接続されている。ＣＰＵ２０は原稿センサ７１から出力される信号に基づいて、搬送路４５を搬送される原稿が読取部６０に近接したことを検出する。また、ＣＰＵ２０は原稿センサ７２から出力される信号に基づいて、搬送路４５を搬送される原稿が読取部３０に近接したことを検出する。
【００３０】
ＡＤＦ４０では、原稿センサ７０によって原稿トレイ４２に原稿が載置されたことを検知すると、ローラ４６を駆動して原稿トレイ４２に載置されている原稿を一枚ずつ搬送路４５に搬送する。搬送路４５に搬送された原稿は、搬送路４５上に位置する第３プラテンガラス５５及び第２プラテンガラス５３上を通過し、排紙トレイ４７に排出される。
【００３１】
この際、読取部６０は、原稿センサ７１を介して原稿が読取部６０に達したことを検知し、第３プラテンガラス５５上を通過する原稿から第２読取結果を検出するとともに、原稿の内側面を読み取る。また、読取部３０は、原稿センサ７２を介して原稿が読取部３０に達したことを検知し、第２プラテンガラス５３上を通過する原稿の外側面を読み取る。
【００３２】
次に、読取部３０の構造について説明する。読取部３０は、ＣＩＳ（Ｃｏｎｔａｃｔ  Ｉｍａｇｅ  Ｓｅｎｓｏｒ）を用いた、いわゆるＣＩＳ方式で第２プラテンガラス５３上を通過する原稿を読み取る。読取部３０は、複数の受光素子が図２の紙面垂直方向である主走査方向に直線状に配列されているリニアイメージセンサ３３、発光ダイオードなどで構成される光源３１、原稿で反射された光源３１からの反射光をリニアイメージセンサ３３の各受光素子に結像させるロッドレンズアレイ３２、これらが搭載されるキャリッジ３４を含む。
なお、読取部６０は読取部３０と類似した構造を有しており、重複した説明を省略する。しかし、読取部３０及び６０の構造は、必ずしも同一の構造である必要はなく、例えば、読取部３０又は読取部６０のいずれか一方がＣＩＳであって、他方がＣＣＤであってもよい。
【００３３】
図４に示すように、読取部３０は、原稿等を読み取る読取領域Ｐが矢印８５に示す主走査方向において２９７ｍｍに亘って延びている。つまり、読取部３０の読取領域Ｐは、その最大読取可能長がＡ３規格の短辺側の長さと等しくなるように形成されている。読取部３０の読取領域Ｐは、５つの分割読取領域Ｐ１〜Ｐ５に分割されている。詳細には、読取部３０のリニアイメージセンサ３３が、分割読取領域Ｐ１〜Ｐ５に対応する５つの分割領域に分割されており、各領域に複数の受光素子が各々配置されている。読取部３０では、原稿等を読み取る際に、受光素子毎に画像データＤを読み取るとともに、読み取ったアナログデータである画像データＤをリニアイメージセンサ３３の分割領域毎に後述するアナログフロントエンド（第１変換部、及び第２変換部の一例、以下ＡＦＥ）３５、６５に出力する。以下では、リニアイメージセンサ３３の分割領域に対する説明を、分割読取領域Ｐ１〜Ｐ５を用いて説明することがあるものとする。
【００３４】
分割読取領域Ｐ１〜Ｐ５は、読取部３０の主走査方向においてこの順で配置されている。分割読取領域Ｐ２〜Ｐ４は、主走査方向においてＡ４規格の短辺側の長さを有する第１領域Ｒ１を構成している。そのため、読取部３０では、Ａ４規格の原稿を読み取る際に、第１領域Ｒ１に原稿を配置して原稿を読み取る。分割読取領域Ｐ２〜Ｐ４は、主走査方向において各々７０ｍｍの長さに形成されている。つまり、第１領域Ｒ１は、分割読取領域Ｐ２〜Ｐ４によって均等に分割されている。
【００３５】
また、分割読取領域Ｐ１、Ｐ５は、主走査方向において読取領域Ｐから第１領域Ｒ１を除いた第２領域Ｒ２を構成している。第１領域Ｒ１は、その主走査方向における中央が、読取領域Ｐの主走査方向における中央と等しくなるように配置されている。そのため、第２領域Ｒ２は、分割読取領域Ｐ１、Ｐ５によって均等に分割され、分割読取領域Ｐ１、Ｐ５は主走査方向において各々４３．５ｍｍの長さに形成されている。
【００３６】
また、図５に示すように、読取部６０は、原稿等を読み取る読取領域Ｑが矢印８６に示す主走査方向において、読取領域Ｐよりも短く、第１領域Ｒ１と等しい２１０ｍｍに亘って延びている。つまり、読取部３０の読取領域Ｑは、その最大読取可能長がＡ４規格の短辺側の長さと等しくなるように形成されている。読取部６０の読取領域Ｑは、３つの分割読取領域Ｑ１〜Ｑ３に分割されている。詳細には、リニアイメージセンサ６３が、分割読取領域Ｑ１〜Ｑ３に対応する３つの分割領域に分割されており、各領域に複数の受光素子が各々配置されている。読取部６０では、原稿等を読み取る際に、受光素子毎に画像データＤを読み取るとともに、読み取ったアナログデータである画像データＤをリニアイメージセンサ３３の分割領域毎にＡＦＥ６５に出力する。以下では、読取部６０のリニアイメージセンサ６３の分割領域に対する説明を、分割読取領域Ｑ１〜Ｑ３を用いて説明することがあるものとする。
【００３７】
分割読取領域Ｑ１〜Ｑ３は、読取部６０の主走査方向においてこの順で配置されている。分割読取領域Ｑ１〜Ｑ３は、主走査方向において各々７０ｍｍの長さに形成されている。つまり、読取領域Ｑは、分割読取領域Ｑ１〜Ｑ３によって均等に分割されている。
【００３８】
読取部３０、６０では、ＡＤＦ４０を用いてＡ４規格の原稿の両面を読み取る際、読取部３０は第１領域Ｒ１で原稿を読み取り、読取部６０は読取領域Ｑで原稿を読み取る。そのため、ＡＤＦ４０の搬送路４５において、第１領域Ｒ１の主走査方向における中央と、読取領域Ｑの主走査方向における中央と、が一致するように配置される。その結果、ＡＤＦ４０の搬送路４５において、読取部３０の読取領域Ｐと、読取部６０の読取領域Ｑは、その主走査方向における中央が等しくなるように配置される。
【００３９】
さらに、複合機１の前側には、各種のボタンからなり、ユーザからの操作指令を受け付ける操作部１１、複合機１の状態を表示する液晶ディスプレイからなる表示部１２が設けられている。
【００４０】
２．複合機の電気的構成
図３は、複合機１の電気的構成を概略的に示すブロック図である。図３に示すように、複合機１は、複合機１の各部を制御するＡＳＩＣ（特定用途向け集積回路）１０を含む。ＡＳＩＣ１０は、ＣＰＵ２０、ＲＯＭ２４、ＲＡＭ２５、デバイス制御部２６を備え、これらがバス２７を介して接続されているとともに、このバス２７に操作部１１、表示部１２、セレクタ（切換部の一例）１３、読取部３０、６０、ＡＦＥ３５、６５、ローラ４６（図２参照）を駆動する駆動回路１６、原稿センサ７０〜７２などが接続されている。
【００４１】
ＲＯＭ２４には、複合機１の動作を制御するための各種のプログラムが記憶されており、ＣＰＵ２０は、ＲＯＭ２４から読み出したプログラムに従って、取得部２１、読取設定部２２、画像処理部２３等として機能し、各部の制御を行う。
【００４２】
デバイス制御部２６は、読取部３０、６０に接続されており、ＣＰＵ２０からの命令に基づいて、読取部３０、６０に制御信号を送信する。読取部３０、６０は、制御信号を受信し、その制御信号に従って、読み取りに使用する読取部３０、６０、及び分割読取領域Ｐ１〜Ｐ５、Ｑ１〜Ｑ３を決定する。例えば、読取部３０、６０は、Ａ３規格の原稿の表面を読み取る際には、読取部３０の分割読取領域Ｐ１〜Ｐ５を用いて原稿を読み取り、読取部６０を用いない。また、Ａ４規格の原稿の両面を読み取る際には、読取部３０の分割読取領域Ｐ２〜Ｐ４、及び読取部６０の分割読取領域Ｑ１〜Ｑ３を用いて原稿を読み取り、読取部３０の分割読取領域Ｐ１、Ｐ５を用いない。
【００４３】
読取部３０、６０は、また、制御信号に従って、選択された分割読取領域Ｐ１〜Ｐ５、Ｑ１〜Ｑ３による画像データＤの読取タイミング、及び画像データＤの出力タイミングを決定する。読取部３０の分割読取領域Ｐ２〜Ｐ４は、読み取った画像データＤをＡＦＥ３５に出力し、読取部３０の分割読取領域Ｐ１、Ｐ５及び読取部６０の分割読取領域Ｑ１〜Ｑ３は、読み取った画像データＤを、セレクタ１３を介してＡＦＥ６５に出力する。
【００４４】
デバイス制御部２６は、また、セレクタ１３に接続されており、ＣＰＵ２０からの命令に基づいて、セレクタ１３に制御信号を送信する。セレクタ１３は、制御信号を受信し、その制御信号に従って、ＡＦＥ６５をいずれの読取部３０、６０に接続するかを切り換える。例えば、セレクタ１３は、Ａ３規格の原稿の表面を読み取る際には、ＡＦＥ６５を読取部３０に接続し、読取部３０の分割読取領域Ｐ１、Ｐ５で読み取られた画像データＤをＡＦＥ６５に送信する。また、Ａ４規格の原稿の両面を読み取る際には、ＡＦＥ６５を読取部６０に接続し、読取部６０の分割読取領域Ｑ１〜Ｑ３で読み取られた画像データＤをＡＦＥ６５に送信する。
【００４５】
デバイス制御部２６は、また、ＡＦＥ３５、６５に接続されており、ＣＰＵ２０からの命令に基づいて、ＡＦＥ３５、６５に制御信号を送信する。ＡＦＥ３５、６５は各々３つのチャネルを有しており、読取部３０、６０の分割読取領域Ｐ１〜Ｐ５、Ｑ１〜Ｑ３から出力される３個のアナログ信号の画像データＤを同時に処理可能に構成されている。ＡＦＥ３５、６５は、制御信号を受信し、その制御信号に従って、受信したアナログ信号の画像データＤをデジタル信号の画像データＤに変換するとともに、バス２７を介してデジタル信号に変換された画像データＤをＲＡＭ２５に記憶する。
【００４６】
３．読取処理
次に、図６を参照して、複合機１を用いて原稿を読み取る場合の、ＣＰＵ２０における処理について説明する。本実施形態では、ＡＤＦ４０を用いてＡ４規格の原稿の両面を読み取る処理、及びＡ３規格の原稿の片面を読み取る処理を説明し、原稿載置部５０を用いてＡ３規格の原稿を読み取る処理を説明する。
【００４７】
図６は、ＣＰＵ２０が所定のプログラムに従って実行する本実施形態のフローチャートを示す。ＣＰＵ２０は、ユーザによって原稿トレイ４２に原稿が載置され、あるいはユーザによって原稿載置部５０に原稿が載置され、操作部１１または入力可能な表示部１２を介して原稿の読取指示が入力されると、処理を開始する。ＣＰＵ２０は、処理を開始すると、読取設定部２２として機能し、原稿センサ７０を用いて原稿トレイ４２に原稿が載置されているか否かを確認する（Ｓ２）。
【００４８】
ＣＰＵ２０は、原稿トレイ４２に原稿が載置されていない場合（Ｓ２：ＮＯ）、原稿載置部５０に載置された原稿を読み取る読取処理（ＦＢ読取処理）に移行し、読取部３０を用いて原稿の表面を読み取る。
【００４９】
（ＦＢ読取処理）
ＣＰＵ２０は、ＦＢ読取処理に移行すると（Ｓ２：ＮＯ）、セレクタ１３を制御して、ＡＦＥ６５と読取部３０を接続する（Ｓ４）。これにより、読取部３０の分割読取領域Ｐ１、Ｐ５で読み取られた画像データＤが、セレクタ１３を介してＡＦＥ６５に送信される。
【００５０】
次に、ＣＰＵ２０は、取得部２１として機能し、図２に示す矢印８４に沿う方向に読取部３０の移動を開始し（Ｓ６）、第１プラテンガラス５２上に静止して載置された原稿の表面を読み取る（Ｓ８）。読取部３０で読み取られた画像データＤのうち、第１領域Ｒ１に当たる分割読取領域Ｐ２〜Ｐ４で読み取られた画像データＤは、ＡＦＥ３５に出力され、ＡＦＥ３５によってアナログ信号からデジタル信号に変換される。また、第２領域Ｒ２に当たる分割読取領域Ｐ１、Ｐ５で読み取られた画像データＤは、ＡＦＥ６５に出力され、ＡＦＥ６５によってアナログ信号からデジタル信号に変換される（Ｓ１０）。
【００５１】
一方、ＣＰＵ２０は、原稿トレイ４２に原稿が載置されている場合（Ｓ２：ＹＥＳ）、ユーザによって入力された読取指示が両面読取モードであるか否かを確認する（Ｓ１２）。ＣＰＵ２０は、ユーザによって入力された読取指示が片面読取モードである場合（Ｓ１２：ＮＯ）、ＡＤＦ４０による片面読取処理（ＡＤＦ片面読取処理）に移行し、読取部３０を用いて原稿の表面を読み取る。
【００５２】
（ＡＤＦ片面読取処理）
ＣＰＵ２０は、ＡＤＦ片面読取処理に移行すると（Ｓ１２：ＮＯ）、セレクタ１３を制御して、ＡＦＥ６５と読取部３０を接続する（Ｓ１４）。これにより、読取部３０の分割読取領域Ｐ１、Ｐ５で読み取られた画像データＤが、セレクタ１３を介してＡＦＥ６５に送信される。
【００５３】
次に、ＣＰＵ２０は、読取部３０を読取位置Ｌに移動させ（Ｓ１６）、原稿の搬送を開始する（Ｓ１８）。上述したように、分割読取領域Ｐ２〜Ｐ４で構成される第１領域Ｒ１は、その主走査方向における中央が、読取領域Ｐの主走査方向における中央と等しくなるように配置されている。そのため、原稿は原稿トレイ４２の中央を基準として原稿トレイ４２に位置決めされ、ＣＰＵ２０は、駆動回路１６を用いてローラ４６を駆動し、当該原稿を搬送路４５へと搬送する。
【００５４】
原稿の搬送開始後、ＣＰＵ２０は、取得部２１として機能し、原稿センサ７０〜７２により搬送路４５における原稿の位置を監視しながら、読取部３０を用いて原稿の表面を読み取る（Ｓ２０）。読取部３０で読み取られた画像データＤのうち、第１領域Ｒ１に当たる分割読取領域Ｐ２〜Ｐ４で読み取られた画像データＤは、ＡＦＥ３５に出力され、ＡＦＥ３５によってアナログ信号からデジタル信号に変換される。また、第２領域Ｒ２に当たる分割読取領域Ｐ１、Ｐ５で読み取られた画像データＤは、ＡＦＥ６５に出力され、ＡＦＥ６５によってアナログ信号からデジタル信号に変換される（Ｓ２２）。
【００５５】
一方、ＣＰＵ２０は、ユーザによって入力された読取指示が両面読取モードである場合（Ｓ１２：ＹＥＳ）、ＡＤＦ４０による両面読取処理（ＡＤＦ両面読取処理）に移行し、読取部３０、６０を用いて原稿の両面を読み取る。
【００５６】
（ＡＤＦ両面読取処理）
ＣＰＵ２０は、ＡＤＦ両面読取処理に移行すると（Ｓ１２：ＹＥＳ）、セレクタ１３を制御して、ＡＦＥ６５と読取部６０を接続する（Ｓ２４）。これにより、読取部６０の分割読取領域Ｑ１〜Ｑ３で読み取られた画像データＤが、セレクタ１３を介してＡＦＥ６５に送信される。
【００５７】
次に、ＣＰＵ２０は、読取部３０を読取位置Ｌに移動させ（Ｓ２６）、原稿の搬送を開始する（Ｓ２８）。原稿の搬送開始後、ＣＰＵ２０は、取得部２１として機能し、原稿センサ７０〜７２により搬送路４５における原稿の位置を監視しながら、読取部３０、６０を用いて原稿の両面を読み取る（Ｓ３０）。読取部３０で読み取られた画像データＤは、ＡＦＥ３５に出力され、ＡＦＥ３５によってアナログ信号からデジタル信号に変換される。また、読取部６０で読み取られた画像データＤは、ＡＦＥ６５に出力され、ＡＦＥ６５によってアナログ信号からデジタル信号に変換される（Ｓ３２）。
【００５８】
ＡＦＥ３５、６５によって画像データＤをデジタル信号に返還後、ＣＰＵ２０は、画像処理部２３として機能し、変換された画像データＤにシェーディング補正等の必要な各種補正処理を実行する（Ｓ３４）。ＣＰＵ２０は、補正処理後の画像データＤをＲＡＭ２５に記憶し、処理を終了する。
【００５９】
４．本実施形態の効果
（１）本実施形態の複合機１では、原稿トレイ４２に原稿が有り、読取指示において片面読取モードが設定されている場合、読取部３０を用いてＡ３規格の原稿が読取可能である。この場合、ＡＦＥ６５は読取部３０に接続され、読取部３０の分割読取領域Ｐ１、Ｐ５から出力される画像データＤに変換処理を実行する。また、読取指示において両面読取モードが設定されている場合、読取部３０及び読取部６０を用いてＡ４規格の原稿が読取可能である。この場合、ＡＦＥ６５は読取部６０に接続され、読取部６０の分割読取領域Ｑ１〜Ｑ３から出力される画像データＤに変換処理を実行する。この複合機１によれば、片面読取モードが設定されている場合において読取部３０から出力され、ＡＦＥ３５では処理しきれない画像データＤを処理するＡＦＥと、両面読取モードが設定されている場合において読取部６０から出力される画像データＤを処理するＡＦＥとを共通化することで、複合機１に必要なＡＦＥの個数を削減することができる。これによって、複合機１の装置コストを削減することができるとともに、複合機１内にＡＦＥを配置する場所を確保する必要がなく、装置を小型化することができる。
【００６０】
（２）本実施形態の複合機１では、読取部３０の第１領域Ｒ１が分割読取領域Ｐ２〜Ｐ４によって均等に分割されており、読取部３０の第２領域Ｒ２が分割読取領域Ｐ１、Ｐ５によって均等に分割されており、読取部６０の読取領域Ｑが分割読取領域Ｑ１〜Ｑ３によって均等に分割されている。そのため、分割読取領域毎に出力される画像データＤの量を均等とすることができる。すなわち、ＡＦＥ３５、６５の各チャネルで処理される画像データＤの量を均等とすることができ、分割読取領域毎に出力される画像データＤの量が異なる場合に比べて、ＡＦＥ３５、６５における処理完了までの時間を短縮することができる。
【００６１】
（３）本実施形態の複合機１では、ＡＤＦ４０の搬送路４５において、読取部３０の読取領域Ｐと、読取部６０の読取領域Ｑは、その主走査方向における中央が等しくなるように配置されている。そのため、ＡＤＦ４０の搬送路４５に原稿を搬送する際に、中央を基準として原稿の位置を決定することで、読取部３０、６０において精度よく原稿を読み取ることができる。
【００６２】
それに加えて、本実施形態の複合機１では、ＡＤＦ４０の搬送路４５に原稿センサ７０〜７２やローラ４６を配置する際に、読取領域Ｐの中央と読取領域Ｑの中央を結ぶ搬送路４５の中心線上にこれらを配置することができる。これによって、原稿の片側端部で位置決めした場合のように、ＡＤＦ４０で読取可能な複数の原稿に併せて複数の原稿センサ７０〜７２やローラ４６を搬送路４５に配置する必要がなく、装置のコストを削減することができる。
【００６３】
（４）本実施形態の複合機１では、セレクタ１３を備えることで、読取設定部として機能するＣＰＵ２０からの制御信号に応じて、ＡＦＥ６５が接続する読取部３０、６０をスムースに切り換えることができる。
【００６４】
（５）本実施形態の複合機１では、ＦＢ読取処理による原稿の片面読取、ＡＤＦ読取処理による原稿の両面読取の他、ＡＤＦ読取処理による原稿の片面読取の設定が可能である。これによって、原稿の多様な種類の読み取りを設定することができる。
【００６５】
（６）本実施形態の複合機１では、原稿トレイ４２に原稿が載置されているか否かによって、ＦＢ読取処理とＡＤＦ読取処理を切り換える。そのため、ユーザが第１プラテンガラス５２上に原稿を載置し、誤ってＡＤＦ４０による読取処理を選択してしまった場合でも、原稿トレイ４２に原稿が載置されていない場合には、読取部３０を用いて第１プラテンガラス５２上に載置された原稿を読み取ることができる。
【００６６】
＜他の実施形態＞
本発明は上記記述及び図面によって説明した実施形態に限定されるものではなく、例えば次のような種々の態様も本発明の技術的範囲に含まれる。
（１）上記実施形態では、複合機１を用いて説明を行ったが、本発明はこれに限られない。例えば、スキャナ機能、コピー機能、ファクシミリ機能の少なくとも１つの機能を備えた装置であっても良い。
【００６７】
（２）上記実施形態では、複合機１が１つのＡＳＩＣ１０を有し、取得部２１、読取設定部２２、画像処理部２３等の機能をＡＳＩＣ１０が有する１つのＣＰＵ２０によって実行する例を用いて示したが、本発明はこれに限られない。例えば、お互いに異なるＣＰＵ、ＡＳＩＣなどによって各部が構成されても良い。
【００６８】
（３）上記実施形態では、セレクタ１３を用いてＡＦＥ６５に接続される読取部３０、６０を切り換える例を用いて説明を行ったが、ＡＦＥ６５に接続される読取部３０、６０を切り換える手段はセレクタ１３に限られない。例えば、読取部３０、６０の出力端子に、出力を許可するか否かを決定するイネーブル端子が設けられていてもよい。このイネーブル端子は、例えばデバイス制御部２６に接続されており、デバイス制御部２６は、ＣＰＵ２０からの命令に基づいて、読取部３０、６０に出力端子から画像データＤを出力するか否かを決定するイネーブル信号を出力する。
【００６９】
（４）上記実施形態では、読取部３０の読取領域Ｐの最大読取可能長がＡ３規格の短辺側の長さであり、読取部６０の読取領域Ｑの最大読取可能長がＡ４規格の短辺側の長さである例を用いて説明を行ったが、各々の読取領域Ｐ、Ｑの最大読取可能長はこれに限定されない。たとえば、読取部３０の読取領域Ｐの最大読取可能長がＡ３規格の短辺側の長さであり、読取部６０の読取領域Ｑの最大読取可能長がレターサイズであってもよい。
【００７０】
（５）上記実施形態では、読取部３０の読取領域Ｐは５つの分割読取領域Ｐ１〜Ｐ５に分割されており、読取部６０の読取領域Ｑは３つの分割読取領域Ｑ１〜Ｑ３に分割されており、各ＡＦＥ３５、６５が３つのチャネルを有する例を用いて説明を行ったが、読取部の分割読取領域やＡＦＥのチャネルはこれに限られない。読取領域Ｐの分割読取領域をＮとし、読取領域Ｐの分割読取領域をＭとし、ＡＦＥのチャネル数をＬとした場合に、以下の関係を示す自然数であれば、特に限定されるものでない。
Ｍ≦Ｌ≦Ｎ、    Ｎ≦２Ｌ
【００７１】
（６）上記実施形態では、有限のチャネル数を用いて変換等の処理を行う装置として、ＡＦＥを用いて説明をおこなったが、処理を行う内容や処理を行う装置も特に限定されない。処理の内容は、画像補正、暗号化処理、デジタル／デジタル変換処理等でもよく、処理を行う装置も画像処理回路、暗号化回路、Ｄ／Ｄコンバータ等でもよい。
【符号の説明】
【００７２】
１：複合機、２：装置本体、１３：セレクタ、１６：駆動回路、２０：ＣＰＵ、２１：取得部、２２：読取設定部、２３：画像処理部、２６：デバイス制御部、３０：読取部、３５、６５：ＡＥＦ、４０：ＡＤＦ、４２：原稿トレイ、４５：搬送路、６０：読取部、Ｄ：画像データ、Ｐ：読取領域、Ｐ１〜Ｐ５：分割読取領域、Ｑ：読取領域、Ｑ１〜Ｑ３：分割読取領域、Ｒ１：第１領域、Ｒ２：第２領域
【図１】
0005234125.tif 000002
【図２】
0005234125.tif 000003
【図３】
0005234125.tif 000004
【図４】
0005234125.tif 000005
【図５】
0005234125.tif 000006
【図６】
0005234125.tif 000007